(57)【要約】  移植片キャリパは第１の部材を提供し、この第１の部材は、その遠位端に第１のピックを有し、その近位端がハンドルに取り付けられている。移植片キャリパの第２の部材は第１の部材の上方に配設され、その遠位端に、第１のピックを越えて延びる第２のピックを有する。第２の部材の近位端はアジャスタに取り付けられ、このアジャスタによって、第２のピックが第１のピックを越えて延びる距離を変更するために、第２の部材が第１の位置から第２の位置に移動する。移植片キャリパは、第２のピックが第１のピックを越えて延びる距離を示すための少なくとも１つのメトリックの示度を提供し、大腿骨、脛骨、または他の任意の解剖学的構造を通して形成すべき骨孔の場所を表す識別子を骨の表面上に配置する。
2014533143.tif 000002
【特許請求の範囲】
【請求項１】
骨の少なくとも一部分を通して形成すべき骨孔の配置を特定するためのキャリパデバイスであって、
第１のピックを備える遠位端を有する第１の部材と、
前記第１の部材の上方に配設され、前記第１のピックを越えて延びる第２のピックを備える遠位端とアジャスタに取り付けられた近位端とを有する第２の部材であって、前記アジャスタの操作によって、前記第２のピックが前記第１のピックを越えて延びる距離を変更するために第２の部材が第１の位置から第２の位置に移動する、第２の部材と、
前記第２のピックが前記第１のピックを越えて延びる距離を表すための少なくとも１つのメトリックの示度と、
を備えるキャリパデバイス。
【請求項２】
前記アジャスタの操作によって、前記第２の部材が前記第１の部材の上で前記第１の位置から前記第２の位置に摺動し、それに対して前記第１のピックが静止したままである請求項１に記載のキャリパデバイス。
【請求項３】
前記少なくとも１つのメトリックの示度が前記第１の部材の表面上に配設され、前記第２の部材が前記第１の部材の上で摺動するにつれて、前記第２のピックが前記第１のピックを越えて延びる距離を表すための少なくとも１つのメトリックの示度が現れる請求項１に記載のキャリパデバイス。
【請求項４】
前記第１のピックおよび前記第２のピックのうちの少なくとも１つが、前記骨と接触したとき前記骨の表面上で識別子を生み出し、前記識別子が、前記骨を通して形成すべき骨孔の中心の配置を表す請求項１に記載のキャリパデバイス。
【請求項５】
前記識別子が、前記骨の表面上のマーキング、前記骨の表面内にエッチングされたディボット、および前記骨の表面の焼かれた部分のうちの１つを備える請求項４に記載のキャリパデバイス。
【請求項６】
前記識別子が、大腿骨の少なくとも一部分および脛骨の少なくとも一部分のうちの１つを通して形成すべき前記骨孔の中心の配置を表す請求項４に記載のキャリパデバイス。
【請求項７】
前記第１の部材および前記第２の部材のうちの少なくとも１つにおける内部空洞と、
前記内部空洞に接続されたインクリザーバの少なくとも一部分と、
を備え、前記インクリザーバが、前記内部空洞を通過し前記第１の部材および前記第２の部材のうちの少なくとも１つの対応するピックを介して前記骨の表面上に送達されるインクを提供し、前記インクが、前記骨を通して形成すべき前記骨孔の配置を示す少なくともマークを生み出す請求項１に記載のキャリパデバイス。
【請求項８】
前記第１のピックおよび前記第２のピックのうちの少なくとも１つの少なくとも一部分上に配設された電気メスの棒であって、接触したとき前記骨の表面を焼き、前記骨を通して形成すべき前記骨孔の配置を示す少なくともマークを生み出す電気メスの棒を備える請求項１に記載のキャリパデバイス。
【請求項９】
前記第１のピックおよび前記第２のピックのうちの少なくとも１つの少なくとも一部分が電気無線周波数で充電され、充電された対応するピックが、接触したとき前記骨の表面を焼き、前記骨を通して形成すべき前記骨孔の配置を示す少なくともマークを生み出す請求項１に記載のキャリパデバイス。
【請求項１０】
前記アジャスタの操作によって、前記第２の部材が前記第１の部材の上で前記第１の位置から前記第２の位置に摺動し、それに対して前記第１のピックが静止したままであり、
前記少なくとも１つのメトリックの示度が前記第１の部材の上面上に配設され、前記第２の部材が前記第１の部材の上で摺動するにつれて、前記第２のピックが前記第１のピックを越えて延びる距離を表すための前記少なくとも１つのメトリックの示度が現れ、
前記第１のピックと前記第２のピックのうちの少なくとも１つが、前記骨と接触したとき前記骨の表面上で識別子を生み出し、前記識別子が、大腿骨および脛骨のうちの１つの少なくとも一部分を通して形成すべき前記骨孔の配置を表す請求項１に記載のキャリパデバイス。
【請求項１１】
骨の少なくとも一部分を通して形成すべき骨孔の配置を特定するための方法であって、
骨の表面の第１の部分に対して第１のピックを配置するステップと、
前記第１のピックの現在の配置を維持しながら、前記第１のピックを越えて前記骨の表面の第２の部分に向かって第２のピックを延ばすステップと、
前記骨の表面の第２の部分に対して前記第２のピックを配置すると、前記第２のピックが前記第１のピックの前記現在の配置から現在延びている距離の測定値を提供するステップと、
前記第１のピックおよび前記第２のピックのうちの少なくとも１つを用いて、前記骨の表面上に識別子を生み出すステップと、
を含む方法。
【請求項１２】
前記第１のピックを越えて骨の表面の第２の部分に向かって第２のピックを延ばすステップが、
前記第１のピックの少なくとも一部分を人体の内部に設置しながら、前記第１のピックの上で前記第２のピックを摺動させるステップを含む請求項１１に記載の方法。
【請求項１３】
前記第２のピックが第１のピックの現在の配置から現在延びている距離の測定値を提供するステップが、
前記第２のピックが前記第１のピックの上で摺動するにつれて、前記第２のピックが前記第１のピックの前記現在の配置から現在延びている距離を示すためのメトリックの少なくとも１つの示度を徐々に現すステップであって、前記メトリックの少なくとも１つの示度が、第１の部材の上面上に配設されるステップを含む請求項１１に記載の方法。
【請求項１４】
前記骨の表面の第１の部分に対して第１のピックを配置するステップが、
大腿骨および脛骨のうちの１つの面の第１の部分に対して前記第１のピックを配置するステップを含む請求項１１に記載の方法。
【請求項１５】
前記第１のピックおよび第２のピックのうちの少なくとも１つを用いて、骨の表面上に識別子を生み出すステップが、
前記骨の表面上のマーキング、前記骨の表面内にエッチングされたディボット、および前記骨の表面の焼かれた部分のうちの１つを生み出すステップを含む請求項１４に記載の方法。
【請求項１６】
前記第１のピックおよび前記第２のピックのうちの少なくとも１つを用いて、前記骨の表面上に前記識別子を生み出すステップが、
前記第１のピックおよび前記第２のピックのうちの１つの内部空洞に接続されたインクリザーバを圧縮するステップと、
前記圧縮されたインクリザーバから送られるインクを、前記内部空洞を通過させてそれぞれのピックまで通すステップと、
前記それぞれのピックが前記骨の表面と接触したとき、前記骨を通して形成すべき前記骨孔の配置を示すインクベースのマークを前記骨の表面上で生み出すステップと、
を含む請求項１１に記載の方法。
【請求項１７】
前記骨を通して形成すべき前記骨孔の配置を示すインクベースのマークを前記骨の表面上で生み出すステップが、
大腿骨および脛骨のうちの１つの中に形成すべき骨孔の中心の配置を実質的に示すステップを含む請求項１６に記載の方法。
【請求項１８】
前記第１のピックおよび前記第２のピックのうちの少なくとも１つを用いて、前記骨の表面上に前記識別子を生み出すステップが、
前記第１のピックおよび前記第２のピックのうちの少なくとも１つの先端上に配設された電気メスの棒を利用するステップを含み、前記電気メスの棒が、接触したとき前記骨の表面を焼き、前記骨を通して形成すべき前記骨孔の配置を示す少なくともマークを生み出す請求項１１に記載の方法。
【請求項１９】
前記第１のピックおよび前記第２のピックのうちの少なくとも１つを用いて、前記骨の表面上に前記識別子を生み出すステップが、
電気無線周波数を用いて前記第１のピックおよび前記第２のピックのうちの少なくとも１つの先端を充電するステップを含み、充電された対応するピックが、接触したとき前記骨の表面を焼き、前記骨を通して形成すべき前記骨孔の配置を示す少なくともマークを生み出す請求項１１に記載の方法。
【請求項２０】
靱帯再建手術のために大腿骨および脛骨のうちの１つの少なくとも一部分を通して形成すべき骨孔の配置を特定するためのキャリパデバイスであって、
第１のピックを備える遠位端と、ハンドルに取り付けられた近位端と、を有する第１の部材と、
前記第１の部材の上方に摺動可能に配設された第２の部材であって、前記第１のピックの少なくとも一部分を人体の内部に設置しながら、前記第１のピックを越えて延びる第２のピックを備える遠位端を有する第２の部材と、
前記第１の部材に調整可能に固定され前記第２の部材の近位端に接続されたアジャスタであって、アジャスタの操作によって、前記第２のピックが前記第１のピックから延びる距離を変更するために、前記第２の部材が第１の位置から第２の位置に摺動する、アジャスタと、
前記第２の部材が前記第１の部材の上で摺動するにつれて現れる前記第１の部材の上面上に配設された少なくとも１つのメトリックであって、前記第２のピックが前記第１のピックを越えて延びる距離の少なくとも一部分を示すための少なくとも１つのメトリックと、
を備えるキャリパデバイス。
【発明の詳細な説明】
【技術分野】
【０００１】
骨および靱帯の再建手術は、靱帯および腱の移植片などの結合要素、ならびに関節（articulated joints）のための種々の人工置換物および／または付加物を取り付けるために骨格部材内に骨孔（bone tunnel）を穿孔することを必要とすることが多い。配置およびその後の穿孔を慎重に行うことによって、結果として施行される再建術からの関節可動性が最大になることが保証される。
【背景技術】
【０００２】
一般的な前十字靱帯（ＡＣＬ）再建法では、断裂したＡＣＬとほとんど同じ位置にＡＣＬ移植片を配置するために脛骨および大腿骨内に骨孔を穿孔することが必要とされる。次に、縫合糸ループの自由端を脛骨の骨孔に通過させ、大腿骨骨孔を通って上昇させて、次に大腿の皮膚から出す。移植片の縫合糸を、針の穴を通して配置し、脛骨骨孔を通して移植片を所定の位置に引っ張り上げ、次に大腿骨骨孔へと引っ張る。移植片は、インターフェアランススクリュー（interference screw）、スパイク付きのワッシャ、ボタン、ポスト、および／またはステープルを使用して所定の場所に固定されているので、張力を受けて保持される。
【０００３】
ＡＣＬ移植片の解剖学的配置は、ＡＣＬ再建術の成功に不可欠である。実際は、ＡＣＬ再建術において最も一般的に挙げられる誤りは非解剖学的骨孔配置であり、たいていの場合、大腿骨骨孔の不適切な配置が根本原因である。大腿骨骨孔を配置する位置があまりに前方であるとき、その結果、移植片は屈曲時に制約があり、伸展時に弛緩することがある。大腿骨骨孔をあまりに後方に配置すると、後壁の破裂による固定の喪失が、骨孔の位置が等尺性でないことによる伸展時の制約と共に、起きることがある。大腿骨骨孔の配置があまりに中心すぎると、移植片によって、ＡＣＬによって提供される安定性の回転成分が回復せず、それにより、客観的な前方／後方安定性があるにもかかわらず、ピボットシフトが持続的に陽性であることがある。
【発明の概要】
【発明が解決しようとする課題】
【０００４】
ＡＣＬ大腿骨骨孔の正確な位置を判断することは、引き続き、ＡＣＬ再建術を施行する外科医にとって難題である。大腿骨骨孔の正確な配置を支援するために、オフセットガイドおよびテンプレートが利用されることが多い。しかし、これらのデバイスは、複数のステップを必要とし、多くの場合、外科医が両手を使用すること、または他者の助けを必要とする。
【課題を解決するための手段】
【０００５】
本明細書において説明する技法および構成は、ＡＣＬ再建手術などの手術手技中の骨孔の適切な配置を判断するうえでの現在の手法の欠陥を著しく克服する。さらに説明するように、本明細書におけるいくつかの特定の実施形態は、１人の人間によって施行可能である、解剖学的な場所を正確に測定およびマークする簡単な手法を提供する、移植片キャリパマーキングデバイス（以下では「移植片キャリパ」）を対象とする。本明細書において説明するそのような実施形態は、ＡＣＬ再建手術の前に大腿骨骨孔および脛骨骨孔の適切な場所および測定を判断するために特に有用である。
【０００６】
本明細書において説明する移植片キャリパは第１の部材を有し、この第１の部材は、その遠位端に第１のピックを有し、その近位端がハンドルに取り付けられている。移植片キャリパの第２の部材は、第１の部材の上方に配設される。第２の部材は、その遠位端に第２のピックを有し、それによって、第２のピックは第１のピックを越えて延びる。第２の部材の近位端は、第１の部材と機械的に連通するアジャスタに取り付けられる。アジャスタの操作によって、第２の部材が、第２のピックが第１のピックを越えて延びる距離を変更するために、第１の位置から第２の位置に移動する。移植片キャリパは、第２のピックが第１のピックを越えて延びる距離を表すための少なくとも１つのメトリック（metric）の示度（indication）も設ける。
【０００７】
一実施形態では、アジャスタの操作によって、移植片キャリパの第２の部材が第１の部材の上で第１の位置から第２の位置に摺動し、それに対して第１のピックは静止したままである。第１の部材の上で第２の部材が摺動するにつれて、第２のピックが第１のピックを越えて延びる距離を示すための示度が現れる。さらに、第１のピックおよび第２のピックのうちの少なくとも１つが、接触したとき骨表面上で識別子を生み出し（create）、したがって、この識別子は、大腿骨および／または頸骨を通して形成すべき骨孔の中心の配置を表す。
【０００８】
移植片キャリパの種々の実施形態がプラスチックおよび／または金属から作製可能であり、電気無線周波数または電気メスの棒（electrocautery wand）によって給電することができることを理解されたい。さらに、移植片キャリパの種々の実施形態は、電気ＲＦおよび／または電気メスの棒と共に骨の輪郭およびランドマークに合致するような形状にすることが可能な、片手で操作できる摺動デバイスとすることができる。
【０００９】
さらに別の実施形態では、移植片キャリパの第１のピックは、骨の表面の第１の部分に対して配置される。第１のピックの現在の配置を維持しながら、第２のピックは、第１のピックを越えて骨の表面の第２の部分に向かって延ばされる。骨の表面の第２の部分に対して第２のピックを配置すると、移植片キャリパは、第２のピックが第１のピックの現在の配置から現在延びている距離の測定値を提供する。さらに、識別子は、第１のピックおよび第２のピックのうちの少なくとも１つを用いて、骨の表面上に配設することができる。それによって、この識別子は、大腿骨、脛骨、または他の任意の解剖学的構造を通して形成すべき骨孔の場所を表す。
【００１０】
さらに別の実施形態では、移植片キャリパの第１の部材は、骨の一部分に対する配置のためのフックを有することができ、第２の部材は、第１の部材の下で摺動可能に配設することができる。第２の部材は、第１の部材のフックから離れて第１の位置から第２の位置に摺動可能に抜去されるピックを有することができる。移植片キャリパは、第２の位置にピックを保持するためにロッキング機構をさらに設けることができる。
【００１１】
本発明の前述およびその他の目的、特徴、および利点は、添付の図面に示される本発明の特定の実施形態の以下の説明から明らかになるであろう。添付の図面では、同様の参照文字は、異なる図を通して同じ部分を指す。図面は必ずしも縮尺どおりでなく、その代わりに本発明の原理を説明することに重点が置かれている。
【図面の簡単な説明】
【００１２】
【図１】本明細書の実施形態による移植片キャリパの斜視図である。
【図２】本明細書の実施形態による、骨の表面をマークするためにインクを提供するインクリザーバを備えた移植片キャリパの斜視図である。
【図３】本明細書の実施形態により骨を通って形成すべき骨孔の場所を表すために骨の表面上に識別子を生み出すために実行されるステップのフローチャートである。
【図４】本明細書の実施形態により骨を通って形成すべき骨孔の場所を表すために骨の表面上にインクマークを生み出すために実行されるステップのフローチャートである。
【図５】本明細書の実施形態による移植片キャリパの一代替実施形態の斜視図である。
【発明を実施するための形態】
【００１３】
本明細書において説明する方法および装置は、移植片キャリパ１００を対象とする。図１は、本明細書の実施形態による移植片キャリパ１００の斜視図を示す。
【００１４】
移植片キャリパ１００は第１の部材１１０を有し、第１の部材１１０は、その遠位端に第１のピック１１５を有し、その近位端がハンドル１３５に取り付けられている。移植片キャリパ１００の第２の部材１２０は、第１の部材１１０の上方に配設される。第２の部材１２０は、その遠位端に第２のピック１２５を有し、それによって、第２のピック１２５は第１のピック１１５を越えて延びる。第２の部材１２０の近位端は、第１の部材１１０と機械的に連通するアジャスタ１３０に取り付けられる。アジャスタ１３０の操作によって、第２の部材１２０が、第２のピック１２５が第１のピック１１５を越えて延びる距離を変更するために、第１の位置から第２の位置に移動する。移植片キャリパ１００は、第２のピック１２５が第１のピック１１５を越えて延びる距離を表すための少なくとも１つのメトリックの示度１４０も提供する。また、移植片キャリパ１００は、第１のピック１１５および第２のピック１２５のうちの少なくとも１つを用いて、識別子を骨の表面上に配置する。それによって、この識別子は、再建手術ＡＣＬの前に大腿骨骨孔および脛骨骨孔の場所を表す。移植片キャリパ１００はまた、他の任意の解剖学的構造に関する測定値および場所を取得するために利用することもできる。
【００１５】
アジャスタ１３０の操作によって、第２の部材１２０が第１の部材１１０の上で第１の位置から第２の位置に摺動し、それに対して第１のピック１１５は静止したままである。したがって、第１の部材１１０の第１のピック１１５を骨の表面の第１の部分に対して配置すると、使用者は、第２の部材１２０の第２のピック１２５を骨の表面の第２の部分に向かって移動させるためにアジャスタ１３０を操作することができる。
【００１６】
第１のピック１１５と第２のピック１２５のそれぞれ両方を骨の表面上に置くと、移植片キャリパ１００が、第２のピック１２５が第１のピック１１５を越えて延びる距離の示度１４０を提供する。そのような示度１４０は、第１の部材１１０および／または第２の部材１２０の視認できる面に配置された測定標識に対する移植片キャリパ１００上でのアジャスタ１３０の配置を介して識別することができる。さらに、第１のピック１１５および／または第２のピック１２５は骨の上で識別子を生み出し、この識別子は、骨を通して形成すべき骨孔の中心の配置を表す。
【００１７】
図２は、本明細書の実施形態による、骨の表面をマークするためにインクを提供するインクリザーバを備えた移植片キャリパ１００の斜視図を示す。
【００１８】
移植片キャリパ１００は、インクまたは他の任意の種類のマーキング溶液を収納する、インクバルブ１５５などのインクリザーバを提供する。移植片キャリパ１００の第１の部材１１０および／または第２の部材１２０は、インクが通過できるインクトンネルなどの内部空洞を有する。第１のピック１１５および／または第２のピック１２５を骨の表面に配置し、使用者がその骨の表面を、対応するピック１１５、１２５の現在の配置を用いてマークすることを望むと、使用者は、インクがピックの内部空洞を流れ、対応するピック１１５、１２５の先端から出て、骨の表面上に流れ出るように、インクリザーバを操作することができる。種々の実施形態では、インクマーク（または他の任意の種類の識別子）は、たとえば大腿骨または脛骨などの骨を通して形成（または穿孔）すべき骨孔の中心の配置を表す。
【００１９】
一実施形態では、電気メスの棒が第１のピック１１５および／または第２のピック１２５の少なくとも一部分上に配設される。対応するピック１１５、１２５が骨の表面上に配置されると、電気メスの棒が骨の表面上でマーク（または識別子）を焼き、骨を通して形成すべき骨孔の配置を示す。
【００２０】
さらに別の実施形態では、第１のピック１１５および／または第２のピック１２５は、電気無線周波数で充電される。ピック１１５、１２５が骨の表面上に配置されると、充電された対応するピック１１５、１２５は、骨の表面を焼き、骨を通して形成すべき骨孔の配置を示すマークを生み出す。
【００２１】
図３は、本明細書の実施形態により骨を通って形成すべき骨孔の場所を表すために骨の表面上に識別子を生み出すために実行されるステップのフローチャート３００を示す。
【００２２】
ステップ３１０では、骨の表面の第１の部分に対して第１のピック１１５を配置する。骨は、脛骨の一部分および／または大腿骨の一部分とすることができる。第１のピック１１５は、ＡＣＬ再建手術に備えて骨の中で形成すべき骨孔の配置を確認するために、骨の表面の第１の部分に対して配置することができる。
【００２３】
ステップ３２０では、第１のピック１１５の現在の配置を維持しながら、第１のピック１１５を越えて骨の表面の第２の部分に向かって第２のピック１２５を延ばす。
【００２４】
ステップ３３０では、第１のピック１１５の少なくとも一部分を人体の内部に設置しながら、第１のピック１１５の上で第２のピック１２５を摺動させる。
【００２５】
ステップ３４０では、骨の表面の第２の部分に対して第２のピック１２５を配置すると、第２のピック１２５が第１のピック１１５の現在の配置から現在延びている距離の測定値を識別する。
【００２６】
ステップ３５０では、第２のピック１２５が第１のピック１１５の上で摺動するにつれて、第２のピック１２５が第１のピック１１５の現在の配置から現在延びている距離を示すためのメトリックの示度１４０を徐々に現す。
【００２７】
ステップ３６０では、第１のピック１１５および／または第２のピック１２５を用いて、識別子を骨の表面上に生み出す。種々の実施形態では、この識別子は、骨の表面上へとエッチングされたディボット（divot）であってもよいし、骨の表面上の焼かれたマークであってもよいし、（インクなどの）マーキング溶液を使用して生み出されたマークであってもよいことを理解されたい。
【００２８】
図４は、本明細書の実施形態により骨を通って形成すべき骨孔の場所を表すために骨の表面上にインクマークを生み出すために実行されるステップのフローチャート４００を示す。
【００２９】
ステップ４１０では、第１のピック１１５および第２のピック１２５のうちの１つの内部空洞に接続されたインクリザーバを圧縮する。一実施形態では、このインクリザーバは、第１のピック１１５および第２のピック１２５のうちの少なくとも１つの内部空洞と接触するインクバルブ１５５とすることができる。インクバルブ１５５は圧搾可能とすることができ、したがって、インクバルブ１５５を圧搾すると、インクバルブ１５５の中に収納されたインクが内部空洞に押し込まれる。
【００３０】
ステップ４２０では、圧縮されたインクリザーバから送られるインクを、内部空洞を通過させてそれぞれのピックまで通す。インクは、内部空洞からそれぞれのピックの開口を通って通過する。
【００３１】
ステップ４３０では、それぞれのピックが骨の表面と接触したとき、骨を通して形成すべき骨孔の配置を示すインクベースのマークを骨の表面上で生み出す。
【００３２】
ステップ４４０では、腿骨および／または脛骨の中に形成（または穿孔）すべき骨孔の中心の配置を実質的に示す。
【００３３】
次に図５を参照すると、移植片キャリパ５００の代替実施形態の斜視図が示されている。代替の移植片キャリパ５００は、第１の部材５１０を含む。第１の部材５１０は、第２の部材５２０に巻き付く２つのフック５１２および５１６を提供する。第２の部材５２０は、第１の部材５１０の下に摺動可能に配設される。代替の移植片キャリパ５００は、第１の部材５１０のフック部分５６０が（大腿骨の後壁などの）骨の一部分に対して配置されるように、関節に挿入することができる。代替の移植片キャリパ５００の寸法は、代替の移植片キャリパ５００がフック部分５６０から特定のフック５１６まで関節に挿入できるようなものであることを理解されたい。
【００３４】
フック部分５６０を骨の一部分に対して配置すると、第２の部材５２０は、第２の部材５２０のピック５４０が第１の部材５１０の下で第１の位置から第２の位置に摺動するように、フック部分５６０から離れて摺動することができる。ピック５４０が第２の位置に達すると、ロッキング機構５５０が、第２の部材５２０を所定の位置に保持するように起動することができる。距離測定値は、第１の部材５１０によって提供される測定標識５３０に対するロックされたピック５４０の配置に関して決定することができる。
【００３５】
本発明を、その好ましい実施形態に関して特に図示し説明してきたが、添付の特許請求の範囲によって定義される本出願の趣旨および範囲から逸脱することなく、形態および詳細におけるさまざまな変更を加えることが可能であることが、当業者には理解されよう。そのような変形形態は、この本出願の範囲によって包含されることを意図する。したがって、本出願の実施形態の前述の説明は、限定することを意図するものではなく、全範囲は添付の特許請求の範囲によって伝えられる。
【符号の説明】
【００３６】
１００  移植片キャリパ
１１０  第１の部材
１１５  第１のピック
１２０  第２の部材
１２５  第２のピック
１３０  アジャスタ
１３５  ハンドル
１４０  示度
１５５  インクバルブ
５００  移植片キャリパ
５１０  第１の部材
５１２  フック
５１６  フック
５２０  第２の部材
５３０  測定標識
５４０  ピック
５５０  ロッキング機構
５６０  フック部分
【図１】
2014533143.tif 000003
【図２】
2014533143.tif 000004
【図３】
2014533143.tif 000005
【図４】
2014533143.tif 000006
【図５】
2014533143.tif 000007
【国際調査報告】
2014533143.tif 000008
2014533143.tif 000009
2014533143.tif 000010
2014533143.tif 000011